(57)【要約】【課題】操作の煩雑化や構造の複雑化を招くことなく、ユーザのプライバシーの保護を強化することができる電子機器を提供する。【解決手段】  レンズカバーユニット４は、カメラ６のレンズに透過窓４４が重なると共に複数のスイッチＳＷ１、ＳＷ２のうち少なくとも１つをＯＮ状態にする第１位置と、透過窓４４以外の部分がカメラ６のレンズを覆うと共に複数のスイッチＳＷ１、ＳＷ２をＯＦＦ状態にする第２位置と、の間を移動可能に配置されている。【選択図】図５
2020113040.tif 000002
【特許請求の範囲】
【請求項１】
筐体と、
前記筐体に配置されたカメラと、
前記筐体に配置されたマイクと、
前記カメラに並設され、マイクをＯＮ状態又はＯＦＦ状態にするスイッチと、
前記カメラのレンズへの光を透過させる透過窓が本体部に形成されたスライド部材と、を備え、
前記スライド部材は、前記カメラのレンズに前記透過窓が重なると共に前記スイッチをＯＮ状態にする第１位置と、前記本体部のうち前記透過窓以外の部分がレンズを覆うと共に前記スイッチをＯＦＦ状態にする第２位置と、の間を移動可能に配置されている、
電子機器。
【請求項２】
前記スイッチは、少なくとも第１のスイッチと第２のスイッチとを含み、
前記第１のスイッチの作動状態と前記第２のスイッチの作動状態との組み合わせに応じて、前記マイクをＯＮ状態又はＯＦＦ状態にする、
請求項１に記載の電子機器。
【請求項３】
前記スライド部材は、前記第１位置と、前記第２位置と、前記本体部のうち前記透過窓以外の部分がレンズを覆うと共に前記スイッチをＯＮ状態にする第３位置と、の間を移動可能に配置されている、
請求項１又は２に記載の電子機器。
【請求項４】
前記カメラをＯＮ状態又はＯＦＦ状態にさせる制御部を更に備え、
前記制御部は、前記スライド部材が前記第１位置から前記第２位置に又は前記第１位置から前記第３位置に移動させられたときに、前記カメラをＯＮ状態からＯＦＦ状態にする、
請求項３に記載の電子機器。
【請求項５】
前記スイッチが、前記スライド部材のスライド方向に対して前記カメラの両側にそれぞれ配置され、
前記第１位置は、前記スイッチのうち一方をＯＮ状態にさせる位置であり、
前記第３位置は、前記スイッチのうち他方をＯＮ状態にさせる位置である、
請求項３又は４に記載の電子機器。
【請求項６】
前記スイッチは、前記カメラの一方側に２つ並設されて配置され、
前記第１位置は、前記２つのスイッチをＯＮ状態にさせる位置であり、
前記第３位置は、前記２つのスイッチのうち一方のスイッチをＯＮ状態にさせる位置である、
請求項３又は４に記載の電子機器。
【請求項７】
前記スライド部材が前記第２位置に移動させられたときに、前記マイクに供給される電力を遮断する、
請求項１乃至６のいずれか一項に記載の電子機器。
【発明の詳細な説明】
【技術分野】
【０００１】
本発明は、電子機器に関する。
【背景技術】
【０００２】
カメラやマイクなどの機能部品が搭載された電子機器として、例えばラップトップ型コンピュータ（以下、「ラップトップ」という）が知られている。
【０００３】
例えば特許文献１に記載のラップトップに内蔵されているカメラは、ＣＰＵにより制御され、表示パネル（ディスプレイ）の前方のユーザ等を撮影する。この種の内蔵カメラは、例えば、ビデオチャットのためのＷｅｂカメラとして利用するのに便利である。他方、セキュリティの観点からカメラを物理的に覆い隠したい場合がある。そのようなニーズに応える外付けのアクセサリーとして、カメラカバーが販売されている。例えば、あるカメラカバーは、ディスプレイの上部に貼着され、カメラを覆う位置とカメラを覆わない位置との間でスライドできるように構成されている。
【先行技術文献】
【特許文献】
【０００４】
【特許文献１】特開２０１６−２１２５９号公報
【発明の概要】
【発明が解決しようとする課題】
【０００５】
上記ラップトップでは、ネットワークを介して遠隔にいる第三者によりハッキングされた場合にも、カメラによるユーザ等の撮影をカメラカバーにより防ぐことができ、ユーザのプライバシーを保護することができる。しかしながら、特許文献１には、マイクにプライバシー機能を搭載することは記載されていない。近年、ユーザのプライバシーの保護を強化することが望まれている一方で、仮に、マイクにもプライバシー機能を搭載することを意図して前述したカメラカバーと同種の部材を別途設ける場合、ユーザにとっては複数の部材の操作が必要になり、操作が煩雑となることに加え、構造が複雑化することとなってしまう。
【０００６】
そこで、本発明は、操作の煩雑化や構造の複雑化を招くことなく、ユーザのプライバシーの保護を強化することができる電子機器を提供することを目的とする。
【課題を解決するための手段】
【０００７】
本発明の一態様に係る電子機器は、筐体と、筐体に配置されたカメラと、筐体に配置されたマイクと、カメラに並設され、マイクをＯＮ状態又はＯＦＦ状態にする複数のスイッチと、カメラのレンズへの光を透過させる透過窓が本体部に形成されたスライド部材と、を備え、スライド部材は、カメラのレンズに透過窓が重なると共に複数のスイッチのうち少なくとも１つをＯＮ状態にする第１位置と、本体部のうち透過窓以外の部分がレンズを覆うと共にスイッチをＯＦＦ状態にする第２位置と、の間を移動可能に配置されている。
【０００８】
この態様によれば、スライド部材を第１位置又は第２位置に移動させることにより、スライド部材によりカメラのレンズへの受光を遮蔽したりマイクをＯＦＦ状態にしたりすることができる。例えば、スライド部材が第２位置に位置するときには、スライド部材によりカメラのレンズへの受光を遮蔽すると共にマイクをＯＦＦ状態にすることができる。このように、単体のスライド部材を操作するだけで、カメラのレンズへの受光を遮蔽したりマイクをＯＦＦ状態にしたりすることができるため、操作の煩雑化や構造の複雑化を招くことなく、ユーザのプライバシーの保護を強化することができる。
【発明の効果】
【０００９】
本発明によれば、操作の煩雑化や構造の複雑化を招くことなく、ユーザのプライバシーの保護を強化することができる電子機器を提供することができる。
【図面の簡単な説明】
【００１０】
【図１】本実施形態に係るラップトップ（電子機器）を示す斜視図である。
【図２】本実施形態に係るラップトップのハードウェア構成を示すブロック図である。
【図３】本実施形態に係るラップトップの機能構成を示すブロック図である。
【図４】（Ａ）図１のラップトップのＩＩ部を示す正面図である。（Ｂ）図４（Ａ）の位置にレンズカバーユニットがあるときの検出スイッチのＯＮ／ＯＦＦ状態を示す説明図である。
【図５】（Ａ）図１のラップトップのＩＩ部を示す正面図である。（Ｂ）図５（Ａ）の位置にレンズカバーユニットがあるときの検出スイッチのＯＮ／ＯＦＦ状態を示す説明図である。
【図６】（Ａ）図１のラップトップのＩＩ部を示す正面図である。（Ｂ）図６（Ａ）の位置にレンズカバーユニットがあるときの検出スイッチのＯＮ／ＯＦＦ状態を示す説明図である。
【図７】カメラ及びマイクに電力を供給する電源回路の一例を示す模式図である。
【図８】（Ａ）図１のラップトップのＩＩ部を示す正面図である。（Ｂ）図８（Ａ）の位置にレンズカバーユニットがあるときの検出スイッチのＯＮ／ＯＦＦ状態を示す説明図である。
【図９】（Ａ）図１のラップトップのＩＩ部を示す正面図である。（Ｂ）図９（Ａ）の位置にレンズカバーユニットがあるときの検出スイッチのＯＮ／ＯＦＦ状態を示す説明図である。
【図１０】（Ａ）図１のラップトップのＩＩ部を示す正面図である。（Ｂ）図１０（Ａ）の位置にレンズカバーユニットがあるときの検出スイッチのＯＮ／ＯＦＦ状態を示す説明図である。
【図１１】カメラ及びマイクに電力を供給する電源回路の一例を示す模式図である。
【発明を実施するための形態】
【００１１】
添付図面を参照して、本発明の好適な実施形態について説明する。なお、各図において、同一の符号を付したものは、同一又は同様の構成を有する。
【００１２】
以下の実施形態は、本発明をラップトップに適用した例である。本発明は、ラップトップ以外にも、デスクトップ型コンピュータ、タブレット型コンピュータ又はスマートフォン等の種々の電子機器に適用可能である。
【００１３】
図１及び図２を参照して、本実施形態に係るラップトップ（電子機器）１の構成について説明する。図１は、ラップトップ１の外観を例示する斜視図である。図２は、ラップトップ１のハードウェア構成を例示する概略ブロック図である。
【００１４】
図１に示すように、ラップトップ１は、本体筐体１１と、本体筐体１１の端部にヒンジ接続されて本体筐体１１に対して開閉可能なカバー筐体３とを有している。また、起立したカバー筐体３の上端部には、不図示のカメラ６と、カメラ６のレンズを覆うレンズカバーユニット４とが設けられている。
【００１５】
本体筐体１１は、扁平な箱形状を呈している。本体筐体１１の内部には、図示しない基板、後述する各種の電子デバイス等が収納されている。本体筐体１１の上面には、キーボード１１ａやタッチパット１１ｂ等のユーザからの入力を受け付ける入力装置が設けられている。なお、本体筐体１１とカバー筐体３とを総称して「筐体」という。
【００１６】
カバー筐体３は、樹脂材料により形成され、その内部に液晶ディスプレイ２等の電子部品を収容している。カバー筐体３は、閉状態においてキーボード１１ａ等を覆い、これらを保護する。また、カバー筐体３は、開状態において図１に示されるように起立し、キーボード１１ａ等を露出させる。以下、カバー筐体３が起立した状態において、カバー筐体３側からユーザ側に向かう方向を「前方」といい、カバー筐体３と対向するユーザから見て左右方向を「幅方向」という。
【００１７】
カバー筐体３は、ベゼル３１を有している。ベゼル３１は枠体であり、その枠内を介して液晶ディスプレイ２を露出させている。起立したカバー筐体３のベゼル３１の上端部（以下、「ベゼル３１の上端部」という）であって、幅方向の略中央部には、長孔３１ａが形成されている。長孔３１ａ内にはレンズカバーユニット４が配置されている。
【００１８】
図２に示すように、ラップトップ１は、例えば、ＣＰＵ（プロセッサ）１２と、メモリ１３と、ＨＤＤ１４と、検出装置１６と、カメラ６と、液晶ディスプレイ２と、マイク１７と、スピーカ１８とを備える。
【００１９】
ＣＰＵ１２は、算術論理演算ユニット及び各種レジスタ（プログラムカウンタ、データレジスタ、命令レジスタ又は汎用レジスタ等）から構成される。ＣＰＵ１２は、例えば、オペレーティングシステムプログラム、ドライバプログラム及びアプリケーションプログラム等（以下、総称して「各種プログラム」ともいう）を実行することで、所定の演算処理結果を出力し、後述するラップトップ１の制御部１１０の各種機能を実現する。ＣＰＵ１１２は、制御部１１０の一例である。
【００２０】
メモリ１３は、例えばＲＡＭ（Ｒａｎｄｏｍ  Ａｃｃｅｓｓ  Ｍｅｍｏｒｙ）等の記憶媒体である。メモリ１３は、ＣＰＵ１２によって実行される各種プログラムのプログラムコードや、各種プログラムの実行時に必要となるデータを一時的に記憶する。メモリ１３は、例えば、操作画面を液晶ディスプレイ２に表示するカメラアプリケーションを記憶する。操作画面とは、ユーザがカメラ６を操作するために液晶ディスプレイ２に表示される画面であり、例えば、カメラ６の明るさの設定、静止画若しくは動画モードの切り替え、又は撮影画像の縦横比の設定等のユーザからの操作入力を受け付けてカメラ６に反映させる。また、カメラアプリケーションとは、上記操作画面が受け付けた操作入力に応じてカメラ６を制御するアプリケーションプログラムである。
【００２１】
ＨＤＤ１５は、不揮発性の記憶媒体である。ＨＤＤ１５は、各種プログラムや各種データを記憶する。このようなプログラムやデータは、必要に応じてメモリ１３にロードされることにより、ＣＰＵ１２から参照される。
【００２２】
マイク１７は、本体筐体１１に配置され、周囲の音を検出するための入力装置である。マイク１７は、入出力Ｉ／Ｆを介して、本体筐体１１の外部に設けられていてもよい。
【００２３】
スピーカ１８は、本体筐体１１に配置され、音を出力するための出力装置である。スピーカ１８は、ヘッドフォン又はイヤフォンに音を出力するための装置で代替してもよい。
【００２４】
検出装置１６は、カメラ６のレンズに対するレンズカバーユニット４の開閉状態を検出する機能を有する。具体的には、検出装置１６は、レンズカバーユニット４のうち透過窓４４以外の部分がカメラ６のレンズを覆う位置と透過窓４４がカメラ６のレンズに重なる位置のいずれに位置するかを検出する。検出装置１６による検出結果に基づいて、後述するように、デバイス制御部１１１は、カメラ６の起動又は終了の制御を行う。
【００２５】
カメラ６は、レンズ及びイメージセンサを有しており、受光して画像データを生成する撮影装置である。カメラ６は、不図示の基板に実装されている。
【００２６】
液晶ディスプレイ２は、ディスプレイの一例である。液晶ディスプレイ２は、カバー筐体３に配置され、キーボード１１ａやタッチパット１１ｂが受け付けた入力に基づき各種情報を表示する。詳細には、まず、不図示のグラフィックス・コントローラが、キーボード１１ａ等が受け付けた入力に基づいて所定の演算を行い、演算結果に対応する制御信号を液晶ディスプレイ２に送信する。液晶ディスプレイ２は、当該制御信号を受信し、映像や文字を表示する。
【００２７】
図３を参照して、ラップトップ１の機能構成について説明する。ラップトップ１の制御部１１０は、例えば、デバイス制御部１１１を備える。
【００２８】
デバイス制御部１１１は、後述する図４〜６に示す態様において、レンズカバーユニット４が第２位置（図５参照）から第１位置（図４参照）に移動したことを検出した検出装置１６からの出力を基にカメラ６を起動させ、レンズカバーユニット４が第１位置（図４参照）から第２位置（図５参照）に移動したことを検出した検出装置１６からの出力を基にカメラ６を終了させる。また、デバイス制御部１１１は、後述する図８〜１０に示す態様において、レンズカバーユニット４が第３位置（図９参照）から第１位置（図８参照）に移動したことを検出した検出装置１６からの出力を基にカメラ６を起動させ、レンズカバーユニット４が第１位置（図８参照）から第３位置（図９参照）に移動したことを検出した検出装置１６からの出力を基にカメラ６を終了させる。このような構成によれば、レンズカバーユニット４を長孔３１ａの長手方向に沿って移動させることによりカメラ６を起動させたり終了させたりすることができる。なお、カメラ６の起動又は終了を含む、マイク１７のＯＮ状態又はＯＦＦ状態の切り替え操作の詳細については後述する。
【００２９】
図４等に示すレンズカバーユニット４は、樹脂材料により形成された薄板形状の部材である。レンズカバーユニット４は、薄肉部４１と、厚肉部４２とを有している。厚肉部４２は、薄肉部４１よりも厚みが大きい。厚肉部４２の両端部は、ベゼル３１の長孔３１ａの端部３１１，３１２と略等しい半径の円弧形状を呈している。
【００３０】
厚肉部４２には、厚肉部４２を厚さ方向に貫通する貫通孔４３が形成されている。この貫通孔４３には、透過窓４４（透光カバー）が嵌装されている。透過窓４４は、ポリエチレンテレフタレート、ポリスチレン、ポリプロピレン、アクリル等の樹脂材料又はガラス等の可視光を透過させる材料により形成されている。また、厚肉部４２の外側面のうち、貫通孔４３の側方の部位には、溝４５が形成されている。溝４５は、直線状に延びている。
【００３１】
レンズカバーユニット４は、幅方向（つまり、長孔３１ａの長手方向）にスライド移動することができる。レンズカバーユニット４は、このスライド移動により、後述するように第１位置と第２位置と第３位置とに配置することができる。
【００３２】
続いて、図４〜図６を参照して、レンズカバーユニット４の機能について説明する。図４〜図６に示す例では、カメラ６の両側に、マイク１７をＯＮ状態又はＯＦＦ状態にする検出スイッチＳＷ１、ＳＷ２を配置（カメラ６の左側に検出スイッチＳＷ１を配置し、カメラ６の右側に検出スイッチＳＷ２を配置）した構成が示されている。
【００３３】
図４は、レンズカバーユニット４が第１位置に配置された状態を示している。図４（Ａ）は、図１のＩＩ部を示す正面図であり、図４（Ｂ）は、図４（Ａ）の位置にレンズカバーユニット４があるときの検出スイッチＳＷ１、ＳＷ２のＯＮ／ＯＦＦ状態を示す説明図である。図５は、レンズカバーユニット４が第２位置に配置された状態を示している。図５（Ａ）は、図１のＩＩ部を示す正面図であり、図５（Ｂ）は、図５（Ａ）の位置にレンズカバーユニット４があるときの検出スイッチＳＷ１、ＳＷ２のＯＮ／ＯＦＦ状態を示す説明図である。図６は、レンズカバーユニット４が第３位置に配置された状態を示している。図６（Ａ）は、図１のＩＩ部を示す正面図であり、図６（Ｂ）は、図６（Ａ）の位置にレンズカバーユニット４があるときの検出スイッチＳＷ１、ＳＷ２のＯＮ／ＯＦＦ状態を示す説明図である。
【００３４】
なお、図４（Ｂ）及び図６（Ｂ）には、検出スイッチＳＷ１のノブＳＷ１ａ又は検出スイッチＳＷ２のノブＳＷ２ａを、レンズカバーユニット４により倒す態様が示されている。検出スイッチＳＷ１のノブＳＷ１ａ又は検出スイッチＳＷ２のノブＳＷ２ａを倒すことにより電源回路ＣのＯＮ／ＯＦＦ状態を切り替えることができる。この電源回路Ｃの模式図を図７に示す。
【００３５】
図７に示すように、電源回路Ｃは、電源Ｐと、電力供給ラインＬａ、Ｌｂ、Ｌｃと、検出スイッチＳＷ１、ＳＷ２と、カメラ６と、マイク１７とを有する。
【００３６】
電源Ｐは、検出スイッチＳＷ１又は検出スイッチＳＷ２を介してカメラ６及び／又はマイク１７に電力を供給する。
【００３７】
電源回路Ｃには、電源Ｐの正極と検出スイッチＳＷ１とを電気的に接続する第１接続ラインＬａと、電源Ｐの負極と検出スイッチＳＷ１とを電気的に接続する第２接続ラインＬｂと、第１接続ラインＬａの途中に設けられた接続点Ｍａと第２接続ラインＬｂの途中に設けられた接続点Ｍｂとの間を、検出スイッチＳＷ２を介して電気的に接続した第３接続ラインＬｃとが設けられている。第３接続ラインＬｃは、検出スイッチＳＷ１をバイパスするように第１接続ラインＬａと第２接続ラインＬｂとを電気的に接続している。
【００３８】
第２接続ラインＬｂの途中には、カメラ６及びマイク１７が電気的に接続されている。詳細には、第２接続ラインＬｂにおける接続点Ｍｂと検出スイッチＳＷ１との間にカメラ６が接続され、第２接続ラインＬｂにおける接続点Ｍｂと電源Ｐの負極との間にマイク１７が接続されている。前述したように、レンズカバーユニット４により検出スイッチＳＷ１のノブＳＷ１ａ及び検出スイッチＳＷ２のノブＳＷ２ａを倒すことにより電源回路Ｃを遮断することができ、これにより、電源回路Ｃに配設されたカメラ６及びマイク１７をＯＦＦ状態にすることができる。カメラ６及びマイク１７それぞれのＯＮ／ＯＦＦ状態の切り替えについて以下で説明する。なお、本明細書では、ノブＳＷ１ａ、ＳＷ２ａを倒すことにより電源回路Ｃを遮断する構成を例に説明するが、この例に限定されず、例えば、ノブＳＷ１ａ、ＳＷ２ａを倒すことにより電源回路Ｃを接続する構成としてもよい。
【００３９】
図４（Ａ）に示すように、レンズカバーユニット４が第１位置に配置されている場合、レンズカバーユニット４は、ベゼル３１の長孔３１ａの端部３１１（図４（Ａ）では、長孔３１ａの左側端部）に近接する。この第１位置では、図４（Ｂ）に示すように、レンズカバーユニット４は、レンズカバーユニット４の透過窓４４がカメラ６のレンズ６ａに重なると共に検出スイッチＳＷ１のノブＳＷ１ａを倒して検出スイッチＳＷ１がＯＮ状態になる。この状態における電源回路Ｃの開閉状態を図７（Ａ）に示す。図７（Ａ）に示すように、検出スイッチＳＷ１がＯＮ状態及び検出スイッチＳＷ２がＯＦＦ状態になることにより、電源Ｐからの電力をカメラ６及びマイク１７に供給することができ（図７（Ａ）の電源回路Ｃにおける矢印Ｆに示す経路の電流の流れを生じさせることができ）、カメラ６及びマイク１７をＯＮにすることが可能な状態にすることができる。このように、レンズカバーユニット４が第１位置に配置されている場合、レンズカバーユニット４の透過窓４４がカメラ６のレンズ６ａに重なると共に複数の検出スイッチＳＷ１、ＳＷ２のうち少なくとも１つ（図４及び図７（Ａ）に示す例では、検出スイッチＳＷ１）をＯＮ状態にして、カメラ６及びマイク１７を起動する。
【００４０】
図５（Ａ）に示すように、レンズカバーユニット４が第２位置に配置されている場合、レンズカバーユニット４の厚肉部４２は、ベゼル３１の長孔３１ａの中央部に位置する。この第２位置では、図５（B）に示すように、レンズカバーユニット４は、検出スイッチＳＷ１、ＳＷ２のノブＳＷ１ａ、ＳＷ２ａを倒していなく、レンズカバーユニット４のうち透過窓４４以外の部分がカメラ６のレンズ６ａを覆う状態（レンズカバーユニット４のうち透過窓４４がカメラ６のレンズ６ａに重ならない状態）となる。レンズカバーユニット４がいずれの検出スイッチＳＷ１、ＳＷ２のノブＳＷ１ａ、ＳＷ２ａを倒していないので、マイク１７がＯＦＦ状態になる。この状態における電源回路Ｃの開閉状態を図７（Ｂ）に示す。図７（Ｂ）に示すように、検出スイッチＳＷ１がＯＦＦ状態及び検出スイッチＳＷ２がＯＦＦ状態になることにより、電源回路Ｃが遮断され、電源Ｐからカメラ６及びマイク１７へ電力が供給されない状態となる。このように、レンズカバーユニット４が第２位置に配置されている場合、レンズカバーユニット４のうち透過窓４４以外の部分がカメラ６のレンズ６ａを覆うと共に、複数の検出スイッチＳＷ１、ＳＷ２をＯＦＦ状態にして、電源Ｐからカメラ６及びマイク１７への電力の供給を遮断する。
【００４１】
電源回路Ｃが接続された状態では、ネットワークを介して第三者にハッキングされたときにカメラ６及びマイク１７をＯＮにすることが可能な状態にあるが、図５及び図７（Ｂ）に示すように電源回路Ｃを遮断することにより、ハッキングされたとしてもカメラ６及びマイク１７をＯＮにすることが不可能な状態となる。これにより、ユーザのプライバシーの保護を強化することができる。なお、本実施形態において、前述したデバイス制御部１１１は、図４及び図５に示すように、レンズカバーユニット４が第２位置（図５参照）から第１位置（図４参照）に移動したことを検出した検出装置１６からの出力を基にカメラ６を起動させ、レンズカバーユニット４が第１位置（図４参照）から第２位置（図５参照）に移動したことを検出した検出装置１６からの出力を基にカメラ６を終了させる。
【００４２】
このような構成によれば、レンズカバーユニット４を第１位置（図４参照）から第２位置（図５参照）に移動させてカメラ６のレンズ６ａを覆う状態にしたのにも関わらず、カメラ６は起動したままという状態を解消する。これにより、カメラ６の不必要な電力消費を低減することができる。また、上記構成によれば、レンズカバーユニット４を第１位置（図４参照）と第２位置（図５参照）との間で移動させた後、別途カメラ６を起動させたり終了させたりするための操作が不要または簡便となるため、プライバシーを保護しつつ利便性の高い電子機器を提供することができる。
【００４３】
図６（Ａ）に示すように、レンズカバーユニット４が第３位置に配置されている場合、レンズカバーユニット４の厚肉部４２は、ベゼル３１の長孔３１ａの端部３１２（図６（Ａ）では、長孔３１ａの右側端部）に近接する。この第３位置では、図６（Ｂ）に示すように、レンズカバーユニット４は、検出スイッチＳＷ２のノブＳＷ２ａを倒して検出スイッチＳＷ２がＯＮ状態になる。この状態における電源回路Ｃの開閉状態を図７（Ｃ）に示す。図７（Ｃ）に示すように、検出スイッチＳＷ１がＯＦＦ状態及び検出スイッチＳＷ２がＯＮ状態になることにより、電源Ｐからの電力はマイク１７のみに供給され（図７（Ｃ）の電源回路Ｃにおける矢印Ｆに示す経路の電流の流れを生じさせることができ）、マイク１７をＯＮにすることが可能な状態にすることができる。このように、レンズカバーユニット４が第３位置に配置されている場合、レンズカバーユニット４のうち透過窓４４以外の部分がカメラ６のレンズ６ａを覆うと共に、複数の検出スイッチＳＷ１、ＳＷ２のうち少なくとも１つ（図６及び図７（Ｃ）に示す例では検出スイッチＳＷ２）をＯＮ状態にして、マイク１７を起動する。
【００４４】
続いて、図８〜図１０を参照して、検出スイッチＳＷ１、ＳＷ２の配置の変形例を説明する。図８〜１０に示す変形例では、検出スイッチＳＷ２の配置を変更した点が前述した図４〜６に示す例と異なっている。具体的には、図８〜１０に示す変形例では、カメラ６の一方側（図８〜１０では、カメラ６の左側）に、検出スイッチＳＷ１、ＳＷ２が並設して配置された構成が示されている。
【００４５】
図８は、レンズカバーユニット４が第１位置に配置された状態を示している。図８（Ａ）は、図１のＩＩ部を示す正面図であり、図８（Ｂ）は、図８（Ａ）の位置にレンズカバーユニット４があるときの検出スイッチＳＷ１、ＳＷ２のＯＮ／ＯＦＦ状態を示す説明図である。図９は、レンズカバーユニット４が第３位置に配置された状態を示している。図９（Ａ）は、図１のＩＩ部を示す正面図であり、図９（Ｂ）は、図９（Ａ）の位置にレンズカバーユニット４があるときの検出スイッチＳＷ１、ＳＷ２のＯＮ／ＯＦＦ状態を示す説明図である。図１０は、レンズカバーユニット４が第２位置に配置された状態を示している。図１０（Ａ）は、図１のＩＩ部を示す正面図であり、図１０（Ｂ）は、図１０（Ａ）の位置にレンズカバーユニット４があるときの検出スイッチＳＷ１、ＳＷ２のＯＮ／ＯＦＦ状態を示す説明図である。
【００４６】
なお、図８（Ｂ）及び図９（Ｂ）には、検出スイッチＳＷ１のノブＳＷ１ａ又は検出スイッチＳＷ２のノブＳＷ２ａを、レンズカバーユニット４により倒す態様が示されている。図４（Ｂ）及び図６（Ｂ）を参照しながら説明した構成と同様に、図８〜１０に示す変形例において、検出スイッチＳＷ１のノブＳＷ１ａ又は検出スイッチＳＷ２のノブＳＷ２ａを倒すことにより電源回路ＣのＯＮ／ＯＦＦ状態を切り替えることができる。図８〜１０に示す変形例における電源回路Ｃの模式図を図１１に示す。図１１に示す電源回路Ｃの構成は、図７を参照しながら説明した電源回路Ｃの構成と同一であるため、同一の構成については同一の符号を付してその説明を省略する。図１１に示す電源回路Ｃに接続されたカメラ６及びマイク１７それぞれのＯＮ／ＯＦＦ状態の切り替えについて以下で説明する。
【００４７】
図８（Ａ）に示すように、レンズカバーユニット４が第１位置に配置されている場合、レンズカバーユニット４の厚肉部４２は、ベゼル３１の長孔３１ａの端部３１１（図８（Ａ）では、長孔３１ａの左側端部）に近接する。この第１位置では、図８（Ｂ）に示すように、レンズカバーユニット４の透過窓４４がカメラ６のレンズ６ａに重なると共に、複数の検出スイッチＳＷ１、ＳＷ２のノブＳＷ１ａ、ＳＷ２ａがレンズカバーユニット４により倒されている。このようにノブＳＷ１ａ、ＳＷ２ａが倒されることにより検出スイッチＳＷ１、ＳＷ２がＯＮ状態になる。この状態における電源回路Ｃの開閉状態を図１１（Ａ）に示す。図１１（Ａ）に示すように、検出スイッチＳＷ１がＯＮ状態及び検出スイッチＳＷ２がＯＮ状態になることにより、電源Ｐからの電力をカメラ６及びマイク１７に供給することができ（図１１（Ａ）の電源回路Ｃにおける矢印Ｆに示す経路の電流の流れを生じさせることができ）、カメラ６及びマイク１７をＯＮにすることが可能な状態にすることができる。図８〜１０に示す変形例においてレンズカバーユニット４が第１位置に配置されている場合、レンズカバーユニット４の透過窓４４がカメラ６のレンズ６ａに重なると共に複数の検出スイッチＳＷ１、ＳＷ２のうち少なくとも１つ（図８に示す例では２つ）をＯＮ状態にし、カメラ６及びマイク１７を起動する。
【００４８】
図９（Ａ）に示すように、レンズカバーユニット４が第３位置に配置されている場合、レンズカバーユニット４の厚肉部４２は、ベゼル３１の長孔３１ａの中央部に位置する。この第３位置では、図９（Ｂ）に示すように、レンズカバーユニット４は、検出スイッチＳＷ２のノブＳＷ２ａを倒して検出スイッチＳＷ２がＯＮ状態になる。この状態における電源回路Ｃの開閉状態を図１１（Ｂ）に示す。図１１（Ｂ）に示すように、検出スイッチＳＷ１がＯＦＦ状態及び検出スイッチＳＷ２がＯＮ状態になることにより、電源Ｐからの電力をマイク１７のみに供給することができ（図１１（Ｂ）の電源回路Ｃにおける矢印Ｆに示す経路の電流の流れを生じさせることができ）、マイク１７をＯＮにすることが可能な状態にすることができる。このように、図８〜１０に示す変形例においてレンズカバーユニット４が第３位置に配置されている場合、レンズカバーユニット４のうち透過窓４４以外の部分がカメラ６のレンズ６ａを覆うと共に、複数の検出スイッチＳＷ１、ＳＷ２のうち少なくとも１つ（図９及び図１１（Ｂ）に示す例では検出スイッチＳＷ２）をＯＮ状態にし、マイク１７を起動する。
【００４９】
本実施形態において、前述したデバイス制御部１１１は、図８及び図９に示すように、レンズカバーユニット４が第３位置（図９参照）から第１位置（図８参照）に移動したことを検出した検出装置１６からの出力を基にカメラ６を起動させ、レンズカバーユニット４が第１位置（図８参照）から第３位置（図９参照）に移動したことを検出した検出装置１６からの出力を基にカメラ６を終了させる。
【００５０】
このような構成によれば、前述した図４〜６に示す例と同様に、カメラ６の不必要な電力消費を低減することができ、また、プライバシーを保護しつつ利便性の高い電子機器を提供することができる。
【００５１】
図１０（Ａ）に示すように、レンズカバーユニット４が第２位置に配置されている場合、レンズカバーユニット４の厚肉部４２は、ベゼル３１の長孔３１ａの端部３１２（図１０（Ａ）では、長孔３１ａの右側端部）に近接する。この第２位置では、図１０（Ｂ）に示すように、レンズカバーユニット４のうち透過窓４４以外の部分がカメラ６のレンズ６ａを覆うと共に、レンズカバーユニット４は、検出スイッチＳＷ１、ＳＷ２のノブＳＷ１ａ、ＳＷ２ａを倒さない。レンズカバーユニット４がいずれの検出スイッチＳＷ１、ＳＷ２のノブＳＷ１ａ、ＳＷ２ａを倒さないので、検出スイッチＳＷ１、ＳＷ２がＯＦＦ状態になる。この状態における電源回路Ｃの開閉状態を図１１（Ｃ）に示す。図１１（Ｃ）に示すように、検出スイッチＳＷ１がＯＦＦ状態及び検出スイッチＳＷ２がＯＦＦ状態になることにより、電源Ｐからの電力がカメラ６及びマイク１７に供給されず、すなわち電源回路Ｃが遮断される。マイク１７がＯＦＦ状態になる。このように、図８〜１０に示す変形例においてレンズカバーユニット４が第２位置に配置されている場合、レンズカバーユニット４のうち透過窓４４以外の部分がカメラ６のレンズ６ａを覆うと共に、複数の検出スイッチＳＷ１、ＳＷ２をＯＦＦ状態にして、電源Ｐからカメラ６及びマイク１７への電力の供給を遮断する。
【００５２】
図１０及び図１１（Ｃ）に示すように電源回路Ｃを遮断することにより、ネットワークを介して第三者にハッキングされたとしても、カメラ６及びマイク１７をＯＮにすることが不可能な状態となる。これにより、ユーザのプライバシーの保護を強化することができる。
【００５３】
なお、以上説明した実施形態では、検出スイッチＳＷ１、ＳＷ２がマイク１７のＯＮ／ＯＦＦ状態の切替機能を有する例を説明したが、この例に限定されない。以上説明した実施形態では、図示した電源回路Ｃにおいて検出スイッチＳＷ１がマイク１７及びカメラ６のＯＮ／ＯＦＦ状態の切替機能を有しているが、図示した電源回路Ｃ及びレンズカバーユニット４の構成に限定されず、例えば、電源回路Ｃにおける検出スイッチＳＷ１及び検出スイッチＳＷ２の配置及びレンズカバーユニット４の構成を変形して、検出スイッチＳＷ２がマイク１７及びカメラ６のＯＮ／ＯＦＦ状態の切替機能を有するようにしてもよい。また、例えば、検出スイッチＳＷ１、ＳＷ２のうち、少なくとも一方にマイク１７のＯＮ／ＯＦＦ状態の切替機能のみを搭載してカメラ６のＯＮ／ＯＦＦ状態の切替機能を搭載しないようにしてもよい。
【００５４】
また以上説明した実施形態では、検出スイッチを２つ搭載した態様を説明したが、検出スイッチを１つ搭載した態様としてもよい。例えば、図４に示す例（カメラ６の両側に検出スイッチＳＷ１、ＳＷ２を配置した態様）を変形して検出スイッチＳＷ１を１つのみ搭載した構成とし、当該構成においてレンズカバーユニット４を第２位置から第１位置にスライドさせることで、カメラ６及びマイク１７をＯＦＦ状態からＯＮ状態に切り替えることが可能な構成としてもよい。同様に、図８に示す例（カメラ６の一方側に並設して検出スイッチＳＷ１、ＳＷ２を配置した態様）を変形して検出スイッチＳＷ１を１つのみ搭載した構成とし、当該構成においてレンズカバーユニット４を第３位置から第１位置にスライドさせることで、カメラ６及びマイク１７をＯＦＦ状態からＯＮ状態に切り替えることが可能な構成としてもよい。なお、検出スイッチの数は図示の例に限定されず、３つ以上としてもよい。
【００５５】
図４〜１１を参照しながら説明したように、第１のスイッチの作動状態（検出スイッチＳＷ１がＯＮ状態又はＯＦＦ状態）と第２のスイッチの作動状態（検出スイッチＳＷ２がＯＮ状態又はＯＦＦ状態）との組み合わせに応じて、マイク１７をＯＮ状態又はＯＦＦ状態にする。
【００５６】
以上説明した実施形態は、本発明の理解を容易にするためのものであり、本発明を限定して解釈するためのものではない。実施形態で説明したフローチャート、シーケンス、実施形態が備える各要素並びにその配置、材料、条件、形状及びサイズ等は、例示したものに限定されるわけではなく適宜変更することができる。また、異なる実施形態で示した構成同士を部分的に置換し又は組み合わせることが可能である。
【符号の説明】
【００５７】
１…ラップトップ、２…液晶ディスプレイ、４…レンズカバーユニット（スライド部材）、６…カメラ、１７…マイク、１１０…制御部、ＳＷ１、ＳＷ２…検出スイッチ
【図１】
2020113040.tif 000003
【図２】
2020113040.tif 000004
【図３】
2020113040.tif 000005
【図４】
2020113040.tif 000006
【図５】
2020113040.tif 000007
【図６】
2020113040.tif 000008
【図７】
2020113040.tif 000009
【図８】
2020113040.tif 000010
【図９】
2020113040.tif 000011
【図１０】
2020113040.tif 000012
【図１１】
2020113040.tif 000013